(57)【要約】【課題】ソース機器が表示装置に直接接続されていないことを考慮した報知を行うことができる表示装置を実現する。【解決手段】テレビ（１）は、テレビ（１）とソース機器（２）との間に接続されているリピーター機器が有る場合に、映像データが表示されるまでの期間に、映像データの入力に関してリピーター機器が有る状態に応じた報知を行う表示処理部（１２４）を備えている。【選択図】図１
2018046367.tif 000002
【特許請求の範囲】
【請求項１】
外部のソース機器からＨＤＭＩ（High Definition Multimedia Interface）接続を介して受信した映像データを表示する表示装置であって、
上記ソース機器のアドレスから、上記表示装置と上記ソース機器との間に接続されているリピーター機器の有無を判定するリピーター機器判定部と、
上記リピーター機器判定部が、リピーター機器が有ると判定した場合に、上記映像データが表示されるまでの期間に、上記ソース機器からの上記映像データの入力に関して、上記リピーター機器が有る状態に応じた報知を行う報知部とを備えることを特徴とする表示装置。
【請求項２】
上記リピーター機器の種別を特定するリピーター機器種別特定部をさらに備えており、
上記報知部は、上記リピーター機器の種別に応じた報知を行うことを特徴とする請求項１に記載の表示装置。
【請求項３】
上記リピーター機器判定部は、上記表示装置と上記ソース機器との間に接続されているリピーター機器の数を判定し、
上記報知部は、上記表示装置と上記ソース機器との間に接続されているリピーター機器の数に応じたタイミングで上記報知を行うことを特徴とする請求項１または２に記載の表示装置。
【請求項４】
上記表示装置および上記ソース機器は、HDMI-CEC（High Definition Multimedia Interface-Consumer Electronics Control）に対応した機器であり、上記アドレスがHDMI-CECの物理アドレスであることを特徴とする請求項１から３の何れか１項に記載の表示装置。
【請求項５】
外部のソース機器からＨＤＭＩ接続を介して受信した映像データを表示する表示装置の制御方法であって、
上記ソース機器のアドレスから、上記表示装置と上記ソース機器との間に接続されているリピーター機器の有無を判定するリピーター機器判定ステップと、
上記リピーター機器判定ステップにてリピーター機器が有ると判定した場合に、上記映像データが表示されるまでの期間に、上記ソース機器からの映像データの入力に関して、上記リピーター機器がある状態に応じた報知を行う報知ステップとを含むことを特徴とする表示装置の制御方法。
【請求項６】
請求項１に記載の表示装置としてコンピュータを機能させるためのプログラムであって、上記リピーター機器判定部および上記報知部としてコンピュータを機能させるためのプログラム。
【請求項７】
外部のソース機器からＨＤＭＩ接続を介して受信した映像データを表示するテレビジョン受像機であって、
上記ソース機器のアドレスから、上記テレビジョン受像機と上記ソース機器との間に接続されているリピーター機器の有無を判定するリピーター機器判定部と、
上記リピーター機器判定部が、リピーター機器が有ると判定した場合に、上記映像データが表示されるまでの期間に、上記ソース機器からの上記映像データの入力に関して、上記リピーター機器が有る状態に応じた報知を行う報知部とを備えていることを特徴とするテレビジョン受像機。
【発明の詳細な説明】
【技術分野】
【０００１】
本発明は、ソース機器からＨＤＭＩ接続を介して受信した映像データを表示する表示装置、表示装置の制御方法およびプログラムに関する。
【背景技術】
【０００２】
近年、ＨＤＭＩ（登録商標）（High-Definition Multimedia Interface）端子を標準搭載するテレビおよびＡＶ機器が広く普及し、表示装置（例えば、テレビ）とソース機器（例えば、レコーダ）とをＨＤＭＩケーブルにより接続することが一般的となってきている。
【０００３】
例えば、特許文献１には、ＨＤＭＩ接続されているテレビ受信機において、画像が表示されるまでの時間を長くすることなく、乱れた画像が表示されることを回避するための発明が開示されている。詳細には、特許文献１のテレビ受信機は、映像信号（画像データ）の受信時に、表示処理部を制御し、基準時間ＴＳが経過してから出画オンの状態とする。当該テレビ受信機は、映像信号の受信に関連して、画像データの受信が開始された時点から画像データの途切れタイミングまでの時間情報等を取得する。当該テレビ受信機は、その情報に基づいて、内蔵メモリの基準時間ＴＳを調整する。当該テレビ受信機は、基準時間ＴＳを、タイミング情報として取得された各時間情報が表す時間のうち最も長い時間より一定時間だけ長い時間に更新する。
【先行技術文献】
【特許文献】
【０００４】
【特許文献１】特開２００９−７７１９２号公報（２００９年４月９日公開）
【発明の概要】
【発明が解決しようとする課題】
【０００５】
一方で、表示装置とソース機器との間にＡＶアンプのようなリピーター機器が接続されていると、表示装置から映像および音が出力されるまでに要する時間が長くなる傾向にある。例えば、表示装置とソース機器との間にリピーター機器が接続されていると、ソース機器の入力切換時等に表示装置側のＨＰＤ（Hot Plug Detect）信号が変化するため、リピーター機器側のＨＰＤ信号も変化する。したがって、ソース機器による映像データの出力が可能になるまでに要する時間が長くなる。また、表示装置とソース機器とを直接接続している場合に比べ、表示装置とソース機器との間にリピーター機器が接続されている場合、ＨＤＣＰ（High-band width Digital Content Protection）認証に要する時間も長くなる傾向にある。ＨＤＣＰ認証中は、映像信号が不連続になる傾向にある。また、表示装置およびリピーター機器のＨＰＤ信号の変化のタイミングによっては、表示装置から映像および音が出力されるまでに要する時間が長くなることもある。この時、表示装置が受信する映像信号は安定していない傾向にある。
【０００６】
結果的に、表示装置とソース機器との間にリピーター機器が接続されていると、ソース機器はリピーター機器とＨＤＣＰ認証を継続しているが、表示装置が受信する映像が安定しない。このような場合、映像信号が表示装置に入力されているにも関わらず、当該映像信号が安定していないため、表示装置の画面に「信号が入力されていません。機器の電源を確認してください。」、「非対応の信号が入力されています。」等、実際に発生している現象とは異なる内容のコーションが表示されるという問題点がある。
【０００７】
上述の特許文献１に記載の発明は、テレビ受信機における出画オンの状態のタイミングを調整する発明である。そのため、特許文献１は、実際に発生している現象とは異なる内容のコーションが表示されるという問題点を解消することはできない。
【０００８】
本発明は、前記の問題点に鑑みてなされたものであり、ソース機器が表示装置に直接接続されていないことを考慮した報知を行うことができる表示装置等を実現することにある。
【課題を解決するための手段】
【０００９】
上記の課題を解決するために、本発明の一態様に係る表示装置は、外部のソース機器からＨＤＭＩ（High Definition Multimedia Interface）接続を介して受信した映像データを表示する表示装置であって、上記ソース機器のアドレスから、上記表示装置と上記ソース機器との間に接続されているリピーター機器の有無を判定するリピーター機器判定部と、上記リピーター機器判定部が、リピーター機器が有ると判定した場合に、上記映像データが表示されるまでの期間に、上記ソース機器からの上記映像データの入力に関して、上記リピーター機器が有る状態に応じた報知を行う報知部とを備えている。
【００１０】
また、本発明の一態様に係る表示装置の制御方法は、外部のソース機器からＨＤＭＩ接続を介して受信した映像データを表示する表示装置の制御方法であって、上記ソース機器のアドレスから、上記表示装置と上記ソース機器との間に接続されているリピーター機器の有無を判定するリピーター機器判定ステップと、上記リピーター機器判定ステップにてリピーター機器が有ると判定した場合に、上記映像データが表示されるまでの期間に、上記ソース機器からの映像データの入力に関して、上記リピーター機器がある状態に応じた報知を行う報知ステップとを含む。
【００１１】
また、本発明の一態様に係るテレビジョン受像機は、外部のソース機器からＨＤＭＩ接続を介して受信した映像データを表示するテレビジョン受像機であって、上記ソース機器のアドレスから、上記テレビジョン受像機と上記ソース機器との間に接続されているリピーター機器の有無を判定するリピーター機器判定部と、上記リピーター機器判定部が、リピーター機器が有ると判定した場合に、上記映像データが表示されるまでの期間に、上記ソース機器からの上記映像データの入力に関して、上記リピーター機器が有る状態に応じた報知を行う報知部とを備えている。
【発明の効果】
【００１２】
本発明の一態様によれば、表示装置とソース機器との間に接続されているリピーター機器が有る場合に、映像データの入力に関してリピーター機器が有る状態に応じた報知を行うことができるという効果を奏する。
【図面の簡単な説明】
【００１３】
【図１】本実施形態１に係るテレビの要部構成を示すブロック図である。
【図２】本実施形態１に係るテレビにおける映像データが表示されるまでの報知処理の流れを示すフローチャートである。
【図３】本実施形態に１係るテレビにおけるリピーター機器数判定処理の流れを示すフローチャートである。
【図４】（ａ）は、本実施形態１に係るテレビの外観の例を示す図および当該テレビに表示される表示画像の例を示す図である。（ｂ）は、本実施形態１に係るテレビに表示される表示画像の例を示す図である。
【図５】（ａ）および（ｂ）は、本実施形態１に係るテレビに表示される表示画像の他の例を示す図である。
【図６】（ａ）および（ｂ）は、本実施形態１に係るテレビに表示される表示画像のさらに他の例を示す図である。
【図７】（ａ）および（ｂ）は、本実施形態１に係るテレビに表示される表示画像のさらに他の例を示す図である。
【図８】（ａ）、（ｂ）および（ｃ）は、本実施形態１に係るテレビに表示される表示画像のさらに他の例を示す図である。
【図９】（ａ）は、テレビとソース機器との接続確立シーケンスを示す図である。（ｂ）は、ＨＤＭＩケーブルにより接続された各機器に割り振られる物理アドレスを示す図である。（ｃ）はＣＥＣによる通信処理の一例を示す図である。
【発明を実施するための形態】
【００１４】
〔実施形態１〕
以下、本発明の実施の形態について、図１〜図９に基づいて説明する。
【００１５】
（テレビ１の概要）
はじめに、本実施形態に係るテレビ（テレビジョン受像機）１の概要について説明する。テレビ（表示装置）１は、外部のソース機器２からＨＤＭＩ接続を介して受信した映像データを表示する。テレビ１は、ソース機器２のアドレスから、テレビ１とソース機器２との間に接続されているリピーター機器の有無を判定する。ここで、ソース機器２とはＤＶＤプレーヤ、録画再生装置であるレコーダ等の映像データをテレビ１に出力することが可能な機器である。リピーター機器とは、例えば、ＨＤＭＩ入力端子を備えたサウンドバーやＡＶアンプのようなオーディオ機器等を例に挙げることができる。テレビ１は、リピーター機器が有ると判定した場合に、映像データが表示されるまでの期間に、ソース機器２からの映像データの入力に関して、リピーター機器が有る状態に応じた報知を行う。
【００１６】
図９の（ａ）は、テレビ１とソース機器２であるレコーダとが直接接続された場合（左図）、および、テレビ１とソース機器２であるレコーダとがリピーター機器であるＡＶアンプを介して接続された場合（右図）の接続確立シーケンスを示す図である。
【００１７】
図９の（ａ）に示すように、テレビ１とソース機器２との間にリピーター機器が接続されていると、接続確立シーケンスにおけるテレビ１とソース機器２との通信が、リピーター機器を介して行われる。このため、テレビ１とソース機器２とが直接接続された場合に比べ、接続確立および映像出力までに要する時間が長くなる傾向にある。
【００１８】
本実施形態では、「映像データの入力に関するリピーター機器が有る状態に応じた報知」画像表示によって行う例を示す。なお、「映像データの入力に関する、リピーター機器が有る状態に応じた報知」は、表示画像の表示による報知に限定されない。例えば、音声、光等による報知としてもよい。
【００１９】
（テレビ１の構成）
次に、テレビ１の構成について、図１に基づいて説明する。図１は、テレビ１の要部構成を示すブロック図である。図１においては、テレビ１の構成に加え、テレビ１のＨＤＭＩ入力端子に接続されたソース機器２の構成を示している。ソース機器２は、例えば、テレビ１に映像データ（映像信号）を出力するレコーダである。図１に示すように、テレビ１は、ＨＤＭＩレシーバ１１、制御部１２、表示部１３および記憶部１４を備えている。
【００２０】
テレビ１およびソース機器２は、ＨＤＭＩ−ＣＥＣ（High Definition Multimedia Interface-Consumer Electronics Control）に対応した機器である。テレビ１はソース機器２とＨＤＭＩケーブル３を介して接続している。ＨＤＭＩケーブル３は、コンテンツ（映像信号および音声信号）を伝送するＴＭＤＳ（Transition Minimized Differential Signaling）ラインと、ＣＥＣコマンドを伝送するＣＥＣラインと、ＥＤＩＤを伝送するＤＤＣ（Display Data Cannel）ラインと、ＨＰＤ信号を伝送するＨＰＤラインと、接続検知のためにソース機器によって電圧（対グランド電位）が５Ｖに制御される５Ｖ電力ラインとを備えている。
【００２１】
ここで、ＥＤＩＤは、シンク機器であるテレビ１に関する情報（周波数、解像度、製造メーカ、型式など）と、ソース機器２に割り振るべき物理アドレスとが記述されたデータである。また、ＨＰＤ信号は、接続検知のために利用される２値信号である。
【００２２】
ＣＥＣコマンドは、ＨＤＭＩにおいて規定されたＣＥＣプロトコル（以下、ＨＤＭＩ−ＣＥＣと呼ぶ）に基づく制御コマンドである。ＨＤＭＩケーブル３により接続された各機器には、ＣＥＣコマンドによる機器間の連携を実現するために、論理アドレスと物理アドレスとが割り振られる。ＣＥＣコマンドには、送信元および／または送信先の論理アドレスおよび／または物理アドレスが引数として含まれ、ＨＤＭＩケーブル３により接続された各機器は、ＣＥＣコマンドに含まれる論理アドレスおよび／または物理アドレスによって、そのＣＥＣコマンドの送信元および／または送信先を特定する。
【００２３】
（論理アドレス）
論理アドレスは、機器種別（テレビ、レコーダ、プレーヤ、チューナ、オーディオ等）を示す自然数によって表現される。例えば、テレビには論理アドレス「０」が割り振られ、１台目のレコーダには論理アドレス「１」が割り振られる、２台目のレコーダには論理アドレス「２」が割り振られる。また、ＡＶアンプなどのオーディオ機器には論理アドレス「５」が割り振られる。
【００２４】
（物理アドレス）
物理アドレスは、「．」で区切られた、０からＦまでの４つの１６進数で表現される。図９の（ｂ）は、ＨＤＭＩケーブルにより接続された各機器に割り振られる物理アドレスを示す図である。
【００２５】
図９の（ｂ）に示すように、例えば、シンク機器１００の１番目のＨＤＭＩ入力端子に直接接続した機器であるＡＶアンプのようなリピーター機器１０２の場合、物理アドレスは１．０．０．０となる（１はテレビのＨＤＭＩ端子番号）。また、シンク機器１００の２番目のＨＤＭＩ入力端子に直接接続した機器であるソース機器１０１ｃの場合、物理アドレスは２．０．０．０となる（２はテレビのＨＤＭＩ端子番号）。また、シンク機器１００にリピーター機器１０２を接続し、そこにソース機器１０１ａおよびソース機器１０１ｂを接続した場合、ソース機器１０１ａの物理アドレスはＸ．Ｙ．０．０となる（ＸはテレビのＨＤＭＩ端子番号、ＹはＡＶアンプのＨＤＭＩ端子番号）。なお、シンク機器１００には物理アドレス０．０．０．０が割り振られる。
【００２６】
すなわち、シンク機器１００に直接接続した機器の場合、物理アドレスはＸ．０．０．０となる（XはテレビのHDMI端子番号）。シンク機器１００にＡＶアンプのようなリピーター機器を接続し、そこにソース機器を接続した場合、ソース機器の物理アドレスはＸ．Ｙ．０．０となる。このように、シンク機器１００とソース機器との間にリピーター機器が接続されると、物理アドレスの左から２番目またはそれ以降（左から３番目、左から４番目）の数値が０以外の数値を持つようになる。
【００２７】
本実施形態に係るテレビ１（後述のリピーター機器数判定部（リピーター機器判定部）１２２）は、ソース機器２の物理アドレスを解析することでテレビ１とソース機器２との間に何台の機器が接続されているかを判断する。
【００２８】
（ＣＥＣによる通信処理）
ここで、図９の（ｃ）を用いて、ソース機器２からの映像出力によって、テレビ１が入力切換するときのＣＥＣによる通信処理の一例を説明する。図９の（ｃ）は、ＣＥＣによる通信処理の一例を示す図である。ここでは、ソース機器２（ＤＶＤプレーヤ）とテレビ１（ＴＶ）との間にＡＶアンプが接続されている例について説明する。
【００２９】
例えば、ＤＶＤプレーヤの再生ボタンが押されＡＶストリームの再生が開始すると、ＤＶＤプレーヤは、自身が「アクティブ機器」であることを示す<Active Source>をブロードキャストにて送信する（Ｓ１０１）。これを受けてＴＶは、ＡＶアンプが接続されたＨＤＭＩ入力に入力経路を切り換えたことを示すＣＥＣメッセージ<Routing Change>をブロードキャストにて送信する（Ｓ１０２）。そして、これを受けたＡＶアンプは、ＤＶＤプレーヤが接続されているので、ＡＶアンプからＤＶＤプレーヤまでの入力経路を通知するためのＣＥＣメッセージ<Routing Information>をブロードキャストにて送信する（Ｓ１０３）。最後にこれを受けたＴＶは、ＤＶＤプレーヤへの入力経路を確定するためのＣＥＣメッセージ<Set Stream Path(1.2.0.0)>をブロードキャストにて送信する（Ｓ１０４）。例えば、図９の（ｂ）に示す接続において、物理アドレス１．２．０．０のソース機器１０１ｂがActiveになった場合、シンク機器１００は入力Ａへの切り換えを行う。その際、シンク機器１００のＨＰＤ信号が変化し、当該ＨＰＤ信号がＨになった（ＨＤＭＩケーブルのＨＰＤラインが接続されるＨＰＤピンの電圧がＨレベルに立ち上がった）時点で、リピーター機器１０２がシンク機器１００のＥＤＩＤを読み出す。リピーター機器１０２は自身のＥＤＩＤを更新（しない場合もある）し、入力ＤのＨＰＤ信号をＨにする。ここで、ソース機器１０１ｂは映像信号を出力し始めると共に、ＨＤＣＰ認証を開始する。
【００３０】
（ＨＤＭＩレシーバ１１）
ＨＤＭＩレシーバ１１は、テレビ１に接続しているソース機器２から送信されるコンテンツを受信する。受信したコンテンツは、表示処理部１２４に送信される。また、ＨＤＭＩレシーバ１１は、ＨＤＭＩケーブル３を介してＥＤＩＤを送信するためのインターフェースである。また、ＨＤＭＩレシーバ１１は、ＨＤＭＩケーブル３を介して伝送されたＣＥＣコマンドを受信するためのインターフェースである。受信したＣＥＣコマンドは、アドレス取得部１２１に送信される。また、ＨＤＭＩレシーバ１１は、ＨＤＭＩケーブル３を介してＣＥＣコマンドを送信するためのインターフェースでもある。
【００３１】
また、ＨＤＭＩレシーバ１１は、ＨＤＭＩケーブル３の５Ｖ電力ラインが接続される５Ｖ電力ピンの電圧をモニタし、その立ち上がりタイミングを検知する。５Ｖ電力ピンの電圧が５Ｖに立ち上がったことを検知すると、ＨＤＭＩレシーバ１１は、ＨＤＭＩケーブル３のＨＰＤラインが接続されるＨＰＤピンの電圧をＨレベルに立ち上げる。ＨＤＭＩ入力端子に接続されたソース機器２のＨＤＭＩトランスミッター２１は、ＨＤＭＩケーブル３のＨＰＤラインに接続されるＨＰＤピンの電圧がＨレベルに立ち上がると、テレビ１に格納されたＥＤＩＤを、ＤＤＣラインを介して読み出す。
【００３２】
（制御部１２）
制御部１２は、アドレス取得部１２１、リピーター機器数判定部１２２、リピーター機器種別特定部１２３および表示処理部（報知部）１２４を備えている。
【００３３】
（アドレス取得部１２１）
アドレス取得部１２１は、ソース機器２、リピーター機器などの外部機器から受信したＣＥＣコマンド（ＨＤＭＩ  ＣＥＣの<Active Source>、<Report Physical Address>メッセージ等）から、論理アドレスおよび／または物理アドレスを取得するものである。例えば、アドレス取得部１２１は、映像を出力している、または出力しようとしている機器（ソース機器）を、<Active Source>メッセージにより確定することができる。
【００３４】
アドレス取得部１２１は取得した物理アドレスを、リピーター機器数判定部１２２送信する。また、アドレス取得部１２１は取得した論理アドレスをリピーター機器種別特定部１２３に送信する。
【００３５】
（リピーター機器数判定部１２２）
リピーター機器数判定部１２２は、HDMI-CEC（High Definition Multimedia Interface-Consumer Electronics Control）に対応したテレビ１とソース機器２との間に接続されているリピーター機器の有無を判定する。詳細には、リピーター機器数判定部１２２は、アドレス取得部１２１から受信したソース機器２の物理アドレスからテレビ１とソース機器２との間に接続されているリピーター機器の数を判定する。
【００３６】
リピーター機器数判定部１２２は判定したリピーター機器の数を、表示処理部１２４に送信する。
【００３７】
（リピーター機器種別特定部１２３）
リピーター機器種別特定部１２３は、テレビ１とソース機器２との間に接続されているリピーター機器の種別を特定する。詳細には、リピーター機器種別特定部１２３は、アドレス取得部１２１から受信したテレビ１とソース機器２との間に接続されている機器の論理アドレスを受信する。リピーター機器種別特定部１２３は当該論理アドレスからリピーター機器の種別を特定する。例えば、リピーター機器種別特定部１２３は、リピーター機器の論理アドレスが５である場合、テレビ１とソース機器２との間にオーディオ機器が接続していると判定する。リピーター機器種別特定部１２３は、特定した結果を表示処理部１２４に送信する。
【００３８】
（表示処理部１２４）
表示処理部１２４は、映像データが表示されるまでの期間に映像出力に関する報知を行う。
【００３９】
詳細には、表示処理部１２４は、リピーター機器数判定部１２２がテレビ１とソース機器２との間に接続されているリピーター機器が有ると判定した場合、映像データが表示されるまでの期間に、ソース機器２からの映像データの入力に関して、リピーター機器が有る状態に応じた報知を行う。また、表示処理部１２４は、映像出力に関して、リピーター機器の種別に応じた報知を行う。
【００４０】
詳細には、表示処理部１２４は、リピーター機器数判定部１２２から受信したテレビ１とソース機器２との間に接続されているリピーター機器の数、および、テレビ１とソース機器２との間に接続されたリピーター機器の種別に応じた報知のための表示画像データ１４１を記憶部１４から取得する。表示処理部１２４は、取得した表示画像データを表示部１３に送信し、該表示画像データを表示させるように表示部１３に指示する。
【００４１】
映像出力に関する表示画像の具体例については、後述の「映像データが表示されるまでの期間の報知処理」にて詳細を説明する。
【００４２】
また、表示処理部１２４は、ＨＤＭＩレシーバ１１で受信したコンテンツを表示部１３に表示する。さらに、表示処理部１２４は、ＨＤＭＩレシーバ１１から受信したコンテンツ以外に、例えば、アナログチューナー（図示しない）及びデジタルチューナー（図示しない）から供給される映像信号を表示部１３に表示することが可能である。
【００４３】
（表示部１３）
表示部１３は、表示処理部１２４からの指示に基づいて、映像を表示する。具体的には、表示部１３は、ＬＣＤ、ＥＬ（Electroluminescence）ディスプレイ、ＰＤＰ（Plasma Display Panel）などの表示素子と、受信した映像信号に基づいて表示素子を駆動するドライバ回路とを備える構成である。なお、映像には、絵や図形の他、文字も含まれ、また、静止画および動画も含まれる。
【００４４】
（記憶部１４）
記憶部１４は、映像データが表示されるまでの期間に表示部１３に表示される表示画像データ１４１を格納している。
【００４５】
また、記憶部１４は、各種データおよびプログラムを記憶する。記憶部１４として、例えば、制御部１２が動作するときに必要なプログラム等の固定データを記憶する読出し専用の半導体メモリであるＲＯＭ（Read Only Memory）、演算に使用するデータ及び演算結果等を一時的に記憶するいわゆるワーキングメモリとしてのＲＡＭ（Random Access Memory）等が挙げられる。
【００４６】
（ソース機器２のＨＤＭＩトランスミッター２１）
続いて、テレビ１に接続しているソース機器２のＨＤＭＩトランスミッター２１の構成について説明する。
【００４７】
ＨＤＭＩトランスミッター２１は、ＨＤＭＩケーブル３を介してコンテンツを送信するためのインターフェースである。また、ＨＤＭＩトランスミッター２１は、ＨＤＭＩケーブル３を介して伝送されたＥＤＩＤを受信するためのインターフェースである。また、ＨＤＭＩトランスミッター２１は、ＨＤＭＩケーブル３を介して伝送されたＣＥＣコマンドを受信するためのインターフェースである。また、ＨＤＭＩトランスミッター２１は、ＨＤＭＩケーブル３を介してＣＥＣコマンドを送信するためのインターフェースである。
【００４８】
また、ＨＤＭＩトランスミッター２１は、ソース機器２とテレビ１とが接続されたことを検知できるよう、ＨＤＭＩケーブルの５Ｖ電力ラインに接続される５Ｖ電力ピンの電圧を５Ｖに制御する。ＨＤＭＩトランスミッター２１は、ＨＤＭＩケーブル３のＨＰＤラインが接続されるＨＰＤピンの電圧をモニタし、その立ち上がりタイミングを検知する。ＨＰＤピンの電圧がＨレベルに立ち上がったことを検知すると、ＨＤＭＩトランスミッター２１は、テレビ１からＤＤＣラインを介してＥＤＩＤを読み出すように構成されている。
【００４９】
（映像データが表示されるまでの期間の報知処理）
本実施形態における、映像データが表示されるまでの期間に行われる報知処理について、図２を参照して説明する。図２は、テレビ１における映像データが表示されるまでの期間に行われる報知処理の流れを示すフローチャートである。
【００５０】
図２に示すように、テレビ１において、ユーザが入力切換えを操作する、または、ユーザがソース機器２の再生ボタンを操作すると（Ｓ１）、ソース機器２のＨＤＭＩトランスミッター２１は、テレビ１に<Active Source>を送信する（Ｓ２）。続いて、リピーター機器数判定部１２２は、<Active Source>から取得した物理アドレスが、（ａ．０．０．０）であるか否かを判定する（ａは０以外の数値）（Ｓ３：リピーター機器判定ステップ）。ソース機器２の物理アドレスが（ａ．０．０．０）である場合（Ｓ３でＹＥＳ）、テレビ１と直接接続したソース機器２からのストリーミングが開始する（Ｓ４）。
【００５１】
（リピーター機器の接続が無い状態に応じた報知の例）
Ｓ４に続いて、表示処理部１２４は、映像データの入力に関して、テレビ１とソース機器２の間にリピーター機器の接続が無い状態に応じた報知を行う（通常のコーションモード）（Ｓ５）。ここで、リピーター機器の接続が無い状態に応じた報知の例について、図４を参照して説明する。図４は、テレビ１とソース機器２との間にリピーター機器の接続が無い場合に表示部１３に表示される映像データの入力に関する報知に用いられる表示画像の例を示す図である。また、図４の（ａ）はテレビ１の外観の例を示す図である。
【００５２】
例えば、テレビ１の表示処理部１２４は、入力切換処理の後に所定の時間の間（例えば、１５秒間）、信号が入力されなかった（入力信号が無信号だった）場合に、図４の（ａ）に示すように、外部機器からの入力が無い旨を示す表示画像Ｉ１を表示する。また、表示処理部１２４は、入力切換処理の後に所定の時間の間（例えば、１５秒間）、テレビ１に対応する信号が入力されなかった場合に、図４の（ｂ）に示すように、テレビ１に対応していない信号が入力されている旨を示す表示画像Ｉ２を表示する。なお、上記所定の時間の長さについては、適宜、変更可能であり、特に限定されるものではない。
【００５３】
（リピーター機器数判定処理）
一方、ソース機器２の物理アドレスが（ａ．０．０．０）でない場合（Ｓ３でＮＯ）、リピーター機器数判定部１２２は、テレビ１とソース機器２との間にリピーター機器が存在すると判定し（Ｓ６）、リピーター機器数判定処理を開始する（Ｓ７）。
【００５４】
本実施形態におけるリピーター機器数判定処理について図３を参照して説明する。図３は、テレビ１におけるリピーター機器数判定処理の流れを示すフローチャートである。
【００５５】
リピーター機器数判定部１２２は、ソース機器２の物理アドレスが（ａ．ｂ．０．０）であるか否かを判定する（ａ，ｂは０以外の数値）（Ｓ７１）。ソース機器２の物理アドレスが（ａ．ｂ．０．０）である場合（Ｓ７１でＹＥＳ）、リピーター機器数判定部１２２は、テレビ１とソース機器２との間にリピーター機器が１台あると判定し（Ｓ７２）、Ｓ８に続く。
【００５６】
また、ソース機器２の物理アドレスが（ａ．ｂ．０．０）でない場合（Ｓ７１でＮＯ）、ソース機器２の物理アドレスが、（ａ．ｂ．ｃ．０）であるか否かを判定する（ａ，ｂ，ｃは０以外の数値）（Ｓ７３）。ソース機器２の物理アドレスが（ａ．ｂ．ｃ．０）である場合（Ｓ７３でＹＥＳ）、リピーター機器数判定部１２２は、テレビ１とソース機器２との間にリピーター機器が２台あると判定し（Ｓ７４）、Ｓ８に続く。ソース機器２の物理アドレスが（ａ．ｂ．ｃ．０）でない場合（Ｓ７３でＮＯ）、リピーター機器数判定部１２２は、テレビ１とソース機器２との間にリピーター機器が３台あると判定し（Ｓ７５）、Ｓ８に続く。
【００５７】
（リピーター機器が有る状態に応じた報知の例１）
図２に示すよう、リピーター機器数判定処理に続き、リピーター機器種別特定部１２３は、テレビ１とソース機器２との間に接続されている機器の中に、論理アドレスが５である機器が有るか否かを判定する（Ｓ８）。論理アドレスが５である機器が有る場合（Ｓ８でＹＥＳ）、表示処理部１２４は、テレビ１とソース機器２との間にオーディオ機器の接続がある状態に応じた報知を行う（オーディオ機器が接続されている場合のコーションモード）（Ｓ９：報知ステップ）。
【００５８】
ここで、オーディオ機器（リピーター機器）の接続が有る状態に応じた報知の例について、図５を参照して説明する。図５は、テレビ１とソース機器２の間にオーディオ機器の接続が有る場合に表示部１３に表示される映像データの入力に関する表示画像の例を示す図である。
【００５９】
例えば、表示処理部１２４は、入力切換処理の後に、所定の時間の間（例えば、１５秒間）、入力信号が無信号だった場合に、図５の（ａ）に示すように、外部機器からの入力が無い旨、テレビ１とソース機器２との間にオーディオ機器の接続が有る旨および映像が表示されるまで時間がかかる旨を示す表示画像Ｉ３を表示する。また、表示処理部１２４は、入力切換処理の後に、所定の時間の間（例えば、１５秒間）、テレビ１に対応していない信号が入力されている場合に、図５の（ｂ）に示すように、対応していない信号が入力されている旨、および、テレビ１とソース機器２との間にオーディオ機器の接続が有る旨を示す表示画像Ｉ４を表示する。
【００６０】
また、表示画像Ｉ３および表示画像Ｉ４には、テレビ１とソース機器２との間に接続されているリピーター機器の数が示されてもよい。なお、上記入力切換処理後の所定の時間の長さについては、適宜、変更可能であり、特に限定されるものではない。
【００６１】
（リピーター機器が有る状態に応じた報知の例２）
論理アドレスが５である機器が無い場合（Ｓ８でＮＯ）、表示処理部１２４は、テレビ１とソース機器２の間にオーディオ機器以外のリピーター機器の接続がある状態に応じた報知を行う（リピーター機器が接続されている場合のコーションモード）（Ｓ１０：報知ステップ）。
【００６２】
ここで、オーディオ機器以外のリピーター機器の接続が有る状態に応じた報知の例について、図６を参照して説明する。図６は、テレビ１とソース機器２との間にオーディオ機器以外のリピーター機器の接続が有る場合に表示部１３に表示される映像データの入力に関する表示画像の例を示す図である。
【００６３】
例えば、表示処理部１２４は、入力切換処理の後に、所定の時間の間（例えば、１５秒間）、入力信号が無信号だった場合に、図６の（ａ）に示すように、外部機器からの入力が無い旨、テレビ１とソース機器２との間にリピーター機器の接続が有る旨および映像が表示されるまで時間がかかる旨を示す表示画像Ｉ５を表示する。また、表示処理部１２４は、入力切換処理の後に、所定の時間の間（例えば、１５秒間）、テレビ１に対応していない信号が入力されている場合に、図６の（ｂ）に示すように、対応していない信号が入力されている旨、および、テレビ１とソース機器２との間にリピーター機器の接続が有る旨を示す表示画像Ｉ５を表示する。
【００６４】
また、表示画像Ｉ５および表示画像Ｉ６には、テレビ１とソース機器２との間に接続されているリピーター機器の数が示されてもよい。図７は、テレビ１とソース機器２との間に接続されているリピーター機器の数が示されている表示画像の例を示す図である。
【００６５】
図７の（ａ）は、入力切換処理の後に所定の時間の間（例えば、１５秒間）、テレビ１に対応していない信号が入力され、リピーター機器の数が１台であった場合の表示画像の例を示している。図７の（ａ）に示すように、表示画像Ｉ７は外部機器からテレビ１が対応していない信号が入力されている旨、テレビ１とソース機器２との間にリピーター機器の接続が有る旨および映像が表示されるまで時間がかかる旨を示す。図７の（ｂ）は、入力切換処理の後に所定の時間の間、テレビ１に対応していない信号が入力され、リピーター機器の数が２台以上であった場合の表示画像の例を示している。図７の（ｂ）に示すように、表示画像Ｉ８は、対応していない信号が入力されている旨、および、テレビ１とソース機器２との間に２台以上のリピーター機器の接続が有る旨を示す。
【００６６】
（リピーター機器が有る状態に応じた報知の例３：映像データの入力に関する報知に用いられる他の表示画像の例）
次に、映像データの入力に関する報知を行うための表示画像に、リピーター機器の接続図が含まれている例を、図８を参照して説明する。図８はリピーター機器の接続図が含まれている表示画像の例を示す図である。図８の（ａ）に示すように、表示画像Ｉ９には、テレビとソース機器との間にリピーター機器が接続されており、映像が表示されるまでに時間がかかる旨が示されている。また、表示画像Ｉ９は、テレビとソース機器であるレコーダとの間にリピーター機器が接続されていることを示す接続図Ｊ１を含んでいる。また、図８の（ｂ）および（ｃ）は、他の接続図の例を示す図である。図８の（ｂ）に示す接続図Ｊ２は、テレビとレコーダとの間にオーディオ機器が接続されている場合の接続図の例である。また、図８の（ｃ）に示す接続図Ｊ３は、テレビとレコーダとの間にリピーター機器が２台接続されている場合の接続図の例である。表示処理部１２４は、接続図におけるリピーター機器の表示を点滅させて表示させてもよい。
【００６７】
〔実施形態２〕
本実施形態では、「映像データの入力に関するリピーター機器が有る状態に応じた報知」について、映像データの入力に関する表示画像の表示のタイミングをリピーター機器が有る状態に応じたものとする構成についての例を示す。
【００６８】
本実施形態に係る表示処理部１２４は、映像出力に関して、テレビ１とソース機器２との間に接続されているリピーター機器の数に応じたタイミングで報知を行う。
【００６９】
（リピーター機器が有る状態に応じた報知の例４：表示画像の表示のタイミングの例１）
次に、実施形態１で説明した表示処理部１２４とは異なるタイミングで、映像データの入力に関する表示画像を表示させる例について説明する。表示処理部１２４は、テレビ１とソース機器２との間にリピーター機器の接続が無い状態と、テレビ１とソース機器２との間にリピーター機器の接続が有る状態とでは異なるタイミングで映像データの入力に関する表示画像を表示する。例えば、表示処理部１２４は、リピーター機器の接続が無い状態に比べ、リピーター機器の接続が有る状態においては、映像データの入力に関する表示画像を表示するまでの時間を長く設定してもよい。より詳細には、テレビ１とソース機器２との間にリピーター機器の接続が無い状態では、入力切換処理の後に１０秒間、入力信号が無信号だった場合に、その直後に、外部機器からの入力が無い旨を示す表示画像を表示処理部１２４は表示させる。一方で、テレビ１とソース機器２との間にリピーター機器の接続がある状態では、入力切換処理の後に１５秒間、入力信号が無信号だった場合に、その直後に、外部機器からの入力が無い旨を示す表示画像を表示処理部１２４は表示させる。なお、上記の入力切換処理の後の無信号である時間は、リピーター機器の接続がある状態の方がリピーター機器の接続が無い状態に比べ、長く設定されていればよく、特に限定されるものではない。
【００７０】
また、表示処理部１２４は、入力切換処理の後に下記に示す計算式で算出された時間の間、入力信号が無信号だった場合に、その直後に、外部機器からの入力が無い旨を示す表示画像を表示してもよい。
【００７１】
計算式：第１の所定の時間（例えば、１０秒）＋第２の所定の時間（例えば、５秒）×テレビ１とソース機器２の間のリピーター機器数
（リピーター機器が有る状態に応じた報知の例５：表示画像の表示のタイミングの例２）
次に、上述した表示処理部１２４とは異なるタイミングで映像データの入力に関する表示画像を表示させる他の例について説明する。
【００７２】
テレビ１とソース機器２との間にリピーター機器の接続が無い状態では、表示処理部１２４は、入力切換処理の後に５秒間、入力信号が無信号だった場合に、その直後に、外部機器からの入力が無い旨を示す表示画像（例えば、図４の（ａ）の表示画像Ｉ１等）を表示させる。
【００７３】
一方で、テレビ１とソース機器２との間にリピーター機器の接続が有る状態では、表示処理部１２４は、はじめに、リピーター機器が接続されている旨を示す第１の表示画像（例えば、図８の（ａ）の表示画像Ｉ９）を表示する、その後、入力切換処理の後に１０秒間、入力信号が無信号だった場合に、その直後に、外部機器からの入力が無い旨を示す第２の表示画像（例えば、図４の（ａ）の表示画像Ｉ１等）を表示させる。なお、上記無信号である時間の設定は、リピーター機器の接続がある状態の方がリピーター機器の接続が無い状態に比べ、長く設定されていればよく、特に限定されるものではない。また、上記の無信号である時間を、テレビ１の非対応信号が入力されている時間に変更し、第２の表示画像を非対応信号が入力されている旨を示す表示画像（例えば、図４の（ｂ）の表示画像Ｉ２等）としてもよい。
【００７４】
また、本実施形態１および２にて説明したソース機器２からの映像データの入力に関する表示画像の表示のタイミングの設定、表示条件（テレビ１に対応していない信号が入力されている時間の長さ、入力信号が無信号である時間の長さ）の設定および該表示画像の表示のＯＮ／ＯＦＦの設定を、テレビ１のメニュー画面から設定できる構成としてもよい。
【００７５】
〔実施形態３〕
〔ソフトウェアによる実現例〕
テレビ１の制御ブロック（特にアドレス取得部１２１、リピーター機器数判定部１２２、リピーター機器種別特定部１２３および表示処理部１２４）は、集積回路（ＩＣチップ）等に形成された論理回路（ハードウェア）によって実現してもよいし、ＣＰＵ（Central Processing Unit）を用いてソフトウェアによって実現してもよい。
【００７６】
後者の場合、テレビ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７７】
〔まとめ〕
本発明の態様１に係る表示装置（テレビ１）は、外部のソース機器（２）からネＨＤＭＩ（High Definition Multimedia Interface）接続を介して受信した映像データを表示する表示装置であって、上記ソース機器のアドレスから、上記表示装置と上記ソース機器との間に接続されているリピーター機器の有無を判定するリピーター機器判定部（リピーター機器数判定部１２２）と、上記リピーター機器判定部が、リピーター機器が有ると判定した場合に、上記映像データが表示されるまでの期間に、上記ソース機器からの上記映像データの入力に関して、上記リピーター機器が有る状態に応じた報知を行う報知部（表示処理部１２４）とを備えている。
【００７８】
上記の構成によれば、表示装置とソース機器との間に接続されているリピーター機器が有る場合に、映像データの入力に関してリピーター機器が有る状態に応じた報知を行う。すなわち、ソース機器がテレビに直接接続されていないことを考慮した報知を行うことができる。
【００７９】
本発明の態様２に係る表示装置は、上記態様１において、上記リピーター機器の種別を特定するリピーター機器種別特定部（１２３）をさらに備えており、上記報知部は、上記リピーター機器の種別に応じた報知を行ってもよい。
【００８０】
上記の構成によれば、リピーター機器の種別に応じた報知を行うことができる。
【００８１】
本発明の態様３に係る表示装置は、上記態様１または２において、上記リピーター機器判定部は、上記表示装置と上記ソース機器との間に接続されているリピーター機器の数を判定し、上記報知部は、上記表示装置と上記ソース機器との間に接続されているリピーター機器の数に応じたタイミングで上記報知を行ってもよい。
【００８２】
上記の構成によれば、上記表示装置と上記ソース機器との間に接続されているリピーター機器の数に応じたタイミングで報知を行うことができる。
【００８３】
本発明の態様４に係る表示装置は、上記態様１から３において、上記表示装置および上記ソース機器は、HDMI-CEC（High Definition Multimedia Interface-Consumer Electronics Control）に対応した機器であり、上記アドレスがHDMI-CECの物理アドレスであってもよい。
【００８４】
上記の構成によれば、HDMI-CECにおける表示装置において、ソース機器がテレビに直接接続されていないことを考慮に入れた報知を行うことができる。
【００８５】
本発明の態様５に係る表示装置の制御方法は、外部のソース機器からＨＤＭＩ接続を介して受信した映像データを表示する表示装置の制御方法であって、上記ソース機器のアドレスから、上記表示装置と上記ソース機器との間に接続されているリピーター機器の有無を判定するリピーター機器判定ステップと、上記リピーター機器判定ステップにてリピーター機器が有ると判定した場合に、上記映像データが表示されるまでの期間に、上記ソース機器からの映像データの入力に関して、上記リピーター機器がある状態に応じた報知を行う報知ステップとを含んでいる。上記の構成によれば、上記態様１と同様の効果を奏する。
【００８６】
本発明の態様６に係るテレビジョン受像機（テレビ１）は、外部のソース機器（２）から、ＨＤＭＩ接続を介して受信した映像データを表示するテレビジョン受像機であって、上記ソース機器のアドレスから、上記表示装置と上記ソース機器との間に接続されているリピーター機器の有無を判定するリピーター機器判定部（リピーター機器数判定部１２２）と、上記リピーター機器判定部が、リピーター機器が有ると判定した場合に、上記映像データが表示されるまでの期間に、上記ソース機器からの上記映像データの入力に関して、上記リピーター機器が有る状態に応じた報知を行う報知部（表示処理部１２４）とを備えている。上記の構成によれば、上記態様１と同様の効果を奏する。
【００８７】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８９】
１      テレビ（表示装置）
２      ソース機器
１２２  リピーター機器数判定部（リピーター機器判定部）
１２３  リピーター機器種別特定部
１２４  表示処理部（報知部）
【図１】
2018046367.tif 000003
【図２】
2018046367.tif 000004
【図３】
2018046367.tif 000005
【図４】
2018046367.tif 000006
【図５】
2018046367.tif 000007
【図６】
2018046367.tif 000008
【図７】
2018046367.tif 000009
【図８】
2018046367.tif 000010
【図９】
2018046367.tif 000011